(57)【特許請求の範囲】
【請求項１】
交流電力網の制御すべき相のための第一の巻線（２）を備えた制御変圧器（１０）用の切換装置（１）、特に、極切換器であって、
この巻線（２）と接続することが可能な第一の接続端子（１．１）と、
導線（３）と接続することが可能な第二の接続端子（１．２）と、
真空開閉管（４）と、
遮断スイッチ（５）と、
これらの真空開閉管（４）及び遮断スイッチ（５）と直列に接続された抵抗（６）と、
を備えた切換装置において、
この第一の接続端子（１．１）が、この直列回路を介して第二の接続端子（１．２）と接続されており、
該遮断スイッチ（５）が、固定位置の一つの接続接点（３２）と、この接続接点（３２）に接続するか、或いはこの接続接点（３２）から切り離すことが選択的に可能な一つの導電性の可動式軸受筐体（２４）とを有する、
切換装置。
【請求項２】
請求項１に記載の切換装置（１）において、
回転可能な形で軸支された極ロータ（２０）が配備され、この極ロータの回転によって、該遮断スイッチ（５）及び該真空開閉管（４）が操作されるとともに、この極ロータには、特に、該軸受筐体（２４）が取り付けられている、
切換装置。
【請求項３】
請求項２に記載の切換装置（１）において、
該極ロータ（２０）が上方と下方の支持板（２１，２２）を備え、これらの支持板の間に該真空開閉管（４）が垂直に立った形で取り付けられており、
該真空開閉管（４）が固定接点（４．１）と可動接点（４．２）を有し、
この固定接点（４．１）が下方の支持板（２１）に配置され、この可動接点（４．２）が上方の支持板（２１）と機械的に接続されており、
駆動シャフト（２３）が、これらの支持板（２１，２２）の間に垂直に配置されており、この駆動シャフトによって、極ロータ（２０）を回転することが可能である、
切換装置。
【請求項４】
請求項３に記載の切換装置（１）において、
該可動接点（４．２）が、操作レバー（２８）と機械的に接続されており、
この操作レバー（２８）が、その第一の終端（３０）を該軸受筐体（２４）内に旋回可能な形で軸支され、
この操作レバー（２８）が、その第二の終端（３１）にローラ（２９）を装備している、
切換装置。
【請求項５】
請求項２から４までのいずれか一つに記載の切換装置（１）において、
この切換装置が湾曲シリンダ（２５）を有し、この湾曲シリンダ内には、該極ロータ（２０）が回転可能な形で配置されており、
この湾曲シリンダ（２５）が、その上縁部（２６）に少なくとも一つの輪郭区画（３４，３５，３６，３７，３８，３９）から成る輪郭（２７）を有し、
該ローラ（２９）が、該極ロータ（２０）の回転によって、少なくとも一つの輪郭区画（３４〜３９）を転動し、それにより、該真空開閉管（４）が操作される、
切換装置。
【請求項６】
交流電力網の少なくとも一つの追加の制御すべき相毎に追加の第一の巻線（２）を備えた制御変圧器（１０）用の請求項１から５までのいずれか一つに記載の切換装置（１）において、この切換装置が、追加の巻線（２）毎に、
追加の巻線（２）と接続することが可能な追加の第一の接続端子（１．１）と、
一つの導線（３）と接続することが可能な追加の第二の接続端子（１．２）と、
追加の真空開閉管（４）と、
追加の遮断スイッチ（５）と、
この追加の真空開閉管（４）及び追加の遮断スイッチ（５）と直列に接続された追加の抵抗（６）と、
を有するとともに、
予め決められた順序で、これらの真空開閉管（４）を操作するための操作手段を有し、
追加の第一の接続端子（１．１）の各々が、それに対応付けられた直列回路を介して、それに対応付けられた第二の接続端子（１．２）と接続されている、
切換装置。
【請求項７】
請求項６に記載の切換装置（１）において、
該操作手段は、少なくとも二つの真空開閉管（４）が互いに時間的にずらして操作されるように構成されている、
切換装置。
【請求項８】
請求項１から７までのいずれか一つに記載の切換装置（１）において、
該操作手段が湾曲シリンダ（２５）を有し、
各真空開閉管（４）が少なくとも一つの輪郭区画（３４，３５，３６，３７，３８．３９）を割り当てられている、
切換装置。
【請求項９】
請求項８に記載の切換装置（１）において、
該輪郭区画（３４，３５，３６，３７，３８．３９）は、該極ロータ（２０）の回転時に、少なくとも二つの真空開閉管（４）が互いに時間的にずらして操作されるように構成されている、
切換装置。
【請求項１０】
少なくとも一つの制御すべき相のための第二の巻線（７）を備えた制御変圧器（１０）用の請求項１から９までのいずれか一つに記載の切換装置（１）において、
この相に対応付けられた第一の巻線（２）が、第一及び第二の巻線タップ（２．２，２．３）とこれらの巻線タップ（２．２，２．３）の間の中間タップ（２．４）とを有し、
この切換装置が、
この第一の巻線タップ（２．２）と接続することが可能な第一のプリセレクタ端子（９．１）と、
この第二の巻線タップ（２．３）と接続することが可能な第二のプリセレクタ端子（９．２）と、
この第二の巻線（７）と接続することが可能な基本端子（９．３）と、
この基本端子（９．３）と接続された、第一又は第二のプリセレクタ端子（９．１，９．２）と選択的に接続することが可能なプリセレクタ接点（９．４）と、
を備えたプリセレクタ（９）を有し、
この第一の接続端子（１．１）が、中間タップ（２．４）との接続によって第一の巻線（２）と接続することが可能である、
切換装置。
【請求項１１】
請求項１０に記載の切換装置（１）において、
該プリセレクタ（９）が、転極器又は粗調整セレクタとして構成されている、
切換装置。
【発明の詳細な説明】
【技術分野】
【０００１】
本発明は、制御変圧器用切換装置、特に、極切換器に関する。
【背景技術】
【０００２】
特許文献１により、プリセレクタと極切換器を備えたタップ切換器が周知であり、それを用いて、絶縁オイル内のガス発生を低減している。そのタップ切換器は、セレクタと負荷切換器を備えている。そのセレクタは、切換前に、先ずは無電力状態でタップ巻線の切り換えるべき新たな巻線タップを事前選択している。その切換自体は、負荷切換器により行なわれる。タップ巻線の始端には、第一の極スイッチを介して負荷導線と接続された第一の極抵抗が繋がっている。タップ巻線の終端には、又もや第二の極スイッチを介して負荷導線と接続された第二の極抵抗が繋がっている。それら二つの極スイッチは、プリセレクタの操作開始前に短時間しかスイッチオンされず、その結果、タップ巻線の始端及び終端は、短時間しか所定の電位と接続されない。その解決策の欠点は、極抵抗のスイッチオン及びスイッチオフ時に、タップスイッチ内の絶縁オイルの崩壊を引き起こすことが可能なアーク放電が発生する可能性が有ることである。それによって、例えば、煤やガスなどの望ましくない化学物質が発生する可能性が有り、その物質が、絶縁オイルを汚し、それによりタップスイッチ又はタップ付変圧器とも呼ばれる制御変圧器の寿命を短くする。
【先行技術文献】
【特許文献】
【０００３】
【特許文献１】ドイツ特許第１０２００９０６０１３２号明細書
【発明の概要】
【発明が解決しようとする課題】
【０００４】
本発明の課題は、制御変圧器の問題の無い、ガスを発生させない動作を可能とする制御変圧器用切換装置を提供することである。
【課題を解決するための手段】
【０００５】
この課題は、独立請求項の対象形態によって解決される。本発明の有利な改善構成及び実施構成は従属請求項に記載されている。
【０００６】
以下において、「ＡはＢと接続されている」との形の記述は、「ＡはＢと直に通電接続されている」ことと、「Ａは、間接的に、即ち、Ｃを介してＢと通電接続されている」こととを意味し、「ＡはＢと繋がっている」との形の記述は、「ＡがＢと直に通電接続されている」ことを意味する。
【０００７】
本発明は、交流電力網の制御すべき相のための第一の巻線を備えた制御変圧器用の切換装置であって、
この巻線と接続することが可能な第一の接続端子と、
導線と接続することが可能な第二の接続端子と、
真空開閉管と、
遮断スイッチと、
これらの真空開閉管及び遮断スイッチと直列に接続された抵抗と、
を備えた切換装置において、
この第一の接続端子が、この直列回路を介して第二の接続端子と接続されている、
切換装置を提案する。
【０００８】
ここで提案した切換装置は、真空開閉管の採用によって、抵抗のスイッチオン及びスイッチオン時における絶縁オイルの崩壊及びガスの発生を低減又は防止している。
【０００９】
ここで提案した切換装置は、必要に応じて任意の形態で構成することができ、例えば、少なくとも一つの追加の接続端子、少なくとも一つの追加の真空開閉管、少なくとも一つの追加の遮断スイッチ及び少なくとも一つの追加の抵抗の中の一つ以上を備えるか、或いは備えないことが可能である。
【００１０】
有利には、この巻線との第一の接続端子の接続は、第一の接続端子が、巻線の二つの巻線終端の間に有る巻線の中間タップと接続されるか、或いは接続されている形態で行なわれる。
【００１１】
この遮断スイッチは、必要に応じて任意の形態で構成することができ、例えば、この遮断スイッチ又はその少なくとも接点が誘電媒体、空気、ＳＦ６又は絶縁オイル内に有ることと、この遮断スイッチが、例えば、真空開閉管及び半導体スイッチを備えていないこととの一つ以上の形態で構成することができる。
【００１２】
この遮断スイッチが、固定位置の少なくとも一つの接続接点と、この接続接点に接続するか、或いはこの接続接点から切り離すことが選択的に可能な少なくとも一つの導電性の可動式軸受筐体とを有すると規定することができる。
【００１３】
有利には、この接続接点は、架台に固定的に取り付けられている。有利には、この軸受筐体は、その外側に、付勢された形で軸支された少なくとも一つの接点を有し、この接点は、遮断スイッチの閉じた状態では、接続接点と軸受筐体の間の通電接続を形成する。
【００１４】
この切換装置が、回転可能な形で軸支された極ロータを有し、この極ロータの回転によって、遮断スイッチ及び真空開閉管が操作される、特に、開閉されるとともに、この極ロータには、特に、軸受筐体が取り付けられていると規定することができる。
【００１５】
この極ロータが上方と下方の支持板を備え、これらの支持板の間に真空開閉管が垂直に立てた形で取り付けられ、
この真空開閉管が固定接点と可動接点を有し、
この固定接点が下方の支持板に配置され、この可動接点が上方の支持板と機械的に接続されており、
駆動シャフトが、これらの支持板の間に垂直に配置されており、この駆動シャフトによって、極ロータを回転することが可能である、
と規定することができる。
【００１６】
この可動接点が、操作レバーと機械的に接続されており、
この操作レバーが、その第一の終端を軸受筐体内に旋回可能な形で軸支され、
この操作レバーが、その第二の終端にローラを装備する、
と規定することができる。
【００１７】
この切換装置が湾曲シリンダを有し、この湾曲シリンダ内には、極ロータが回転可能な形で配置されており、
この湾曲シリンダが、その上縁部に少なくとも一つの輪郭区画から成る輪郭を有し、
このローラが、極ロータの回転によって、少なくとも一つの輪郭区画を転動し、それにより、真空開閉管が操作される、特に、開閉される、
と規定することができる。
【００１８】
交流電力網の少なくとも一つの追加の制御すべき相毎に追加の第一の巻線を備えた制御変圧器用の切換装置は、
追加の巻線毎に、
追加の巻線と接続することが可能な追加の第一の接続端子と、
導線と接続することが可能な追加の第二の接続端子と、
追加の真空開閉管と、
追加の遮断スイッチと、
この追加の真空開閉管及び追加の遮断スイッチと直列に接続された追加の抵抗と、
を有するとともに、
予め決められた順序で真空開閉管を操作するための操作手段を有し、
追加の第一の接続端子の各々が、それに対応付けられた直列回路を介して、それに対応付けられた第二の接続端子と接続されている、
ように構成されると規定することができる。
【００１９】
この操作手段は、少なくとも二つの真空開閉管が互いに時間的にずらして操作される、特に、開閉されるように構成されると規定することができる。
【００２０】
この操作手段が湾曲シリンダを有し、
各真空開閉管が少なくとも一つの輪郭区画を割り当てられている、
と規定することができる。
【００２１】
これらの輪郭区画は、極ロータの回転時に、少なくとも二つの真空開閉管が互いに時間的にずらして操作される、特に、開閉されるように構成されると規定することができる。
【００２２】
少なくとも一つの制御すべき相のための第二の巻線を備えた制御変圧器用の切換装置は、この相に対応付けられた第一の巻線が、第一及び第二の巻線タップとこれらの巻線タップの間の中間タップとを有し、
この第一の巻線タップと接続することが可能な第一のプリセレクタ端子と、
この第二の巻線タップと接続することが可能な第二のプリセレクタ端子と、
この第二の巻線と接続することが可能な基本端子と、
この基本端子と接続された、第一又は第二のプリセレクタ端子と選択的に接続することが可能なプリセレクタ接点と、
を備えたプリセレクタを有し、
この第一の接続端子が、中間タップとの接続によって第一の巻線と接続することが可能である、
ように構成されると規定することができる。
【００２３】
このプリセレクタが、転極器、粗調整セレクタ又は多段式粗調整セレクタとして構成されると規定することができる。
【００２４】
このプリセレクタが転極器として構成されている場合、例えば、第二の巻線が主巻線として構成され、第一の巻線が制御巻線として構成される。転極器は、主巻線と同じ形態又は逆の形態で選択的に制御巻線を主巻線と接続することが可能である。
【００２５】
このプリセレクタが粗調整セレクタとして構成されている場合、例えば、第二の巻線が制御巻線として構成され、第一の巻線が主巻線として構成され、例えば、第一の巻線タップが第一の巻線の第一の巻線終端に有り、第二の巻線タップが第一の巻線の巻線終端の間に有るか、例えば、、第二の巻線タップが第一の巻線の第二の巻線終端に有り、第一の巻線タップが、これらの巻線終端の間に有るか、或いは例えば、両方の巻線タップがこれらの巻線終端の間に有る。通常巻線タップの間の部分は、粗調整タップ巻線又は粗調整タップと呼ばれる。粗調整セレクタによって、これらの粗調整タップ巻線を制御巻線と接続するか、或いは接続しないことが、即ち、この粗調整タップ巻線を橋絡することが選択的に可能である。
【００２６】
以下において、例えば、添付図面に基づき本発明の実施構成を詳しく説明する。しかし、それらから判明する個々の特徴は、それらの個々の実施構成に限定されず、上述した別の個々の特徴及び／又は別の実施構成の個々の特徴と結合すること及び／又は組み合わせることが可能である。図面における細部は、単に説明するためのものであり、制限するためのものであると解釈してはならない。請求項に含まれる符号は、本発明の保護範囲を決して制限せず、図面に図示された実施構成を参照するだけである。
【図面の簡単な説明】
【００２７】
【図１】負荷切換器及びプリセレクタを備えた負荷時タップ切換器と本発明による切換装置と有する制御変圧器の模式図
【図２ａ】本切換装置の第一の実施構成の接続図及び本切換装置の切換フロー図
【図２ｂ】本切換装置の第一の実施構成の接続図及び本切換装置の切換フロー図
【図２ｃ】本切換装置の第一の実施構成の接続図及び本切換装置の切換フロー図
【図２ｄ】本切換装置の第一の実施構成の接続図及び本切換装置の切換フロー図
【図２ｅ】本切換装置の第一の実施構成の接続図及び本切換装置の切換フロー図
【図２ｆ】本切換装置の第一の実施構成の接続図及び本切換装置の切換フロー図
【図２ｇ】本切換装置の第一の実施構成の接続図及び本切換装置の切換フロー図
【図２ｈ】本切換装置の第一の実施構成の接続図及び本切換装置の切換フロー図
【図３】図７の切換装置用の極ロータの斜視図
【図４】図３の極ロータを備えた図７の切換装置用の湾曲シリンダの斜視図
【図５】図４の線Ａ−Ａに沿った断面図
【図６】軸受筐体を省いた形の図４に対応する平面図
【図７】三相用の具体的な実施形態としての図２ａ〜２ｈの切換装置の有利な実施構成の斜視図
【図８】本切換装置の第二の実施構成の接続図
【発明を実施するための形態】
【００２８】
図１には、二本の巻線２，７を備えた高電圧側又は一次側、低電圧側又は二次側８、並びに負荷時タップ切換器１１を有する制御変圧器１０の実施例が模式的に図示されている。この負荷時タップ切換器１１は、負荷切換器１２と、プリセレクタ９及び微調整セレクタ１３を備えたセレクタと、本発明による切換装置１とを有する。この制御変圧器１０は変圧器筐体１４により包囲されている。この変圧器筐体１４の内部１５に配置された負荷時タップ切換器１１を用いて、制御変圧器１０の異なるタップ２．１（図２を参照）に切り換えることができる。この制御変圧器１０の正常な動作形態を保証可能とするためには、負荷時タップ切換器１１は、問題無く必要な切換フローを実施しなければならない。この負荷時タップ切換器１１は、制御変圧器１０の形式に応じて絶縁オイルを満たすことが可能な変圧器筐体１４内に突き出ている。負荷時タップ切換器１１は、ここでは、例えば、負荷切換器１２とプリセレクタ９を有するが、負荷セレクタとして構成することもできる。
【００２９】
この負荷時タップ切換器１１は、変圧器筐体１４の外壁１７に固定されたモータ駆動部１６を用いて、リンク機構を介して操作される。しかし、このモータ駆動部１６は、負荷時タップ切換器１１の蓋１８に、即ち、負荷時タップ切換器１１の頭部に直に配置することもできる。
【００３０】
この制御変圧器１０は、図示されていない交流電力網の制御すべき相毎に、通常一次側に第一の巻線２と第二の巻線７を有する。以下において、図２に基づき詳しく説明する通り、この切換装置１は、例えば、極切換器として、第一の巻線２及び第二の巻線７と繋がったプリセレクタ９を切り換える間に第一の巻線２を一時的に導線と電気的に接続することができる。
【００３１】
この実施構成では、プリセレクタ９は、切換装置１と別個に構成されているが、切換装置１に統合するか、或いは切換装置１と組み合わせることもできる。
【００３２】
図２ａには、制御変圧器１０用の切換装置１の第一の実施構成の接続図が模式的に図示されている。
【００３３】
この実施構成では、第一の巻線２を制御巻線として構成し、第二の巻線７を制御巻線に対応付けられた主巻線として構成し、プリセレクタ９を制御巻線２用の転極器として構成しているが、第一の巻線２を粗調整タップ巻線として構成し、第二の巻線７を粗調整タップ巻線に対応付けられた制御巻線として構成し、プリセレクタ９を粗調整タップ巻線用の粗調整セレクタとして構成することもできる。この制御巻線２は、タップ２．１と、例えば、制御巻線２の巻線終端に有るか、それらの巻線終端を構成するか、或いはその両方である二つの巻線タップ２．２，２．３と、例えば、制御巻線２の中央に有る、これらの巻線タップ２．２，２．３の間の中間タップ２．４とを有する。
【００３４】
この切換装置１は、二つの接続端子１．１，１．２と、一つの真空開閉管４と、一つの遮断スイッチ５と、一つの抵抗６とを有する。この第一の接続端子１．１は中間タップ２．４と通電接続され、第二の接続端子１．２は導線３と通電接続されている。この導線３は、例えば、地電位に繋がれているが、例えば、中性点、アース、又は変圧器の三角点とすることが可能なそれ以外の所定の電位と直に、或いは、導線バーを介して間接的に通電接続することもできる。
【００３５】
これらの第一の接続端子１．１と第二の接続端子１．２の間には、真空開閉管４、遮断スイッチ５及び抵抗６が直列に接続されており、その結果、これらの接続端子１．１，１．２は、この直列回路を介して互いに通電接続されている。
【００３６】
図２ａに図示された切換装置１の定常状態では、遮断スイッチ５が開かれており、真空開閉管４が閉じられている。それによって、遮断スイッチ５の軸受筐体２４（図３）と真空開閉管４が同じ所定の電位に有り、それに対して、遮断スイッチ５の接続接点３２（図５）と抵抗６がそれ以外の電位に有ることを実現している。
【００３７】
この制御巻線２は、例えば、プリセレクタ９によって、同じ形態又は逆の形態で選択的に主巻線７と接続することができる。そのため、このプリセレクタ９は転極器を構成し、二つのプリセレクタ端子９．１，９．２と、一つの基本端子９．３と、この基本端子９．３と接続されるとともに、各プリセレクタ端子９．１，９．２と選択的に電気的に接触させることが可能な可動式プリセレクタ端子９．４とを有する。この第一のプリセレクタ端子９．１が第一の巻線タップ２．２と繋がり、この第二のプリセレクタ端子９．２が第二の巻線タップ２．３と繋がり、この基本端子９．３が主巻線７と繋がっている。
【００３８】
図２ｂ〜２ｈには、図２ａの定常状態から出発した切換装置１の切換フローが図示されている。
【００３９】
図２ｂは、真空開閉管４が開かれている第一の工程を図示している。
【００４０】
図２ｃは、遮断スイッチ５が閉じられている第二の工程を図示している。
【００４１】
図２ｄは、真空開閉管４が閉じられている第三の工程を図示している。そこでは、抵抗６が導線３と通電接続されている。
【００４２】
図２ｅは、プリセレクタ９を切り換える、そのために、プリセレクタ接点を第二のプリセレクタ端子９．２から切り離して、第一のプリセレクタ端子９．１と繋げる第四の工程を図示している。この間に、制御巻線２の中心が切換装置１を介して地電位となる。
【００４３】
図２ｆは、真空開閉管４が開かれている第五の工程を図示している。
【００４４】
図２ｇは、遮断スイッチ５が開かれている第六の工程を図示している。
【００４５】
図２ｈは、真空開閉管４が閉じられている第七の工程を図示している。ここでは、切換装置１は、再び、遮断スイッチ５が開かれ、真空開閉管４が閉じられている定常状態に到達している。
【００４６】
即ち、この切換フローは、二つのフェーズに分けることができる。第一のフェーズでは、抵抗６のスイッチオンが行なわれ、第二のフェーズでは、抵抗６のスイッチオフが行なわれる。一般的に、これらのフェーズの間でプリセレクタ９の操作が行なわれる。
【００４７】
図３〜７には、図２ａ〜２ｈの切換装置１の有利な実施構成が、三フェーズ用の具体的な実施形態として模式的に図示されている。
【００４８】
この実施構成では、切換装置１は、図３に図示された回転可能な形で軸支された極ロータ３０を有する。この極ロータ２０は、下方と上方の支持板２１，２２を有し、これらの支持板の間に駆動シャフト２３が配置されている。この駆動シャフト２３は、駆動シャフト２３の回転時に支持板２１，２２も回転するように、支持板２１，２２と機械的に接続されている。これらの支持板２１，２２は、例えば、二等辺三角形の基本形状を有し、各頂点には、それぞれ真空開閉管４が支持板２１，２２の間に垂直方向に立った形で取り付けられている。各真空開閉管４は、固定接点４．１と可動接点４．２を有し、固定接点４．１は、例えば、下方の支持板２１に固定されている。各可動接点４．２は、上方の支持板２２を貫通して、軸受筐体２４と機械的に、並びに通電形態で接続されている。
【００４９】
この実施構成では、切換装置１は、図４と５に図示されている湾曲シリンダ２５を有する。極ロータ２０は、この湾曲シリンダ２５内に垂直に立った形で配置されている。この湾曲シリンダ２５は、電気絶縁材料、有利には、ガラス繊維複合材料から構成される。この湾曲シリンダ２５の上縁部２６は、成形された輪郭２７を有し、特に、周囲を巡るように成形された輪郭２７として構成されている。この輪郭２７は、真空開閉管４を操作する役割を果たす。そのために、各軸受筐体２４には、ローラ２９を備えた操作レバー２８が配備されている。この操作レバー２８は、その第一の端部３０が軸受筐体２４に回転可能な形で軸支され、その第二の端部３１に、極ロータ２０の回転時に輪郭２７と協力して動作するローラ２９を装備している。この場合、各操作レバー２８及びそのレバーと協力して動作するように接続された各可動接点４．２が垂直方向に動かされて、各真空開閉管４が開閉される。
【００５０】
そのため、湾曲シリンダ２５、極ロータ２０、軸受筐体２４及び操作レバー２８は、予め決められた順序で真空開閉管４を操作するための操作手段を構成する。
【００５１】
図６では、図２ｄの第三の工程の終りに相当する状態の切換装置１が、軸受筐体２４を省いて上方から見た形で模式的に図示されている。これら三つの真空開閉管４は、それぞれ駆動シャフト２３の周りに互いに同じように１２０°ずれた形で配置されている。この輪郭２７は、六つの輪郭区画３４，３５，３６，３７，３８．３９から構成され、それらの中の第一と第二の輪郭区画３４，３５が第一の真空開閉管４に対応付けられ、第三と第四の輪郭区画３６，３７が第二の真空開閉管４に対応付けられ、第五と第六の輪郭区画３８，３９が第三の真空開閉管４に対応付けられている。各輪郭区画３４〜３９は、例えば、上縁部２６における隆起として構成され、例えば、上縁部２６の窪みとして構成されたそれぞれ二つの中間区画３４’，３５’，３６’，３７’，３８’，３９’によって境界を画定されているが、上縁部２６において、各輪郭区画３４〜３９を窪みとして構成し、各中間区画３４’〜３９’を隆起として構成することも可能である。三つの真空開閉管４を開くように操作しなければならないので、互いに対応する三つの輪郭区画３４，３６，３８と互いに対応する三つの輪郭区画３５，３７，３９は、それぞれ互いに１２０°ずれている。
【００５２】
切換装置１の定常状態（図２ａ，２ｈ，４，５）、第三の工程の終わりの状態（図２ｄ，６）及び第四の工程の終わりの状態（図２ｅ）では、真空開閉管４は閉じられている。それを保証できるようにするために、操作レバー２８の各ローラ２９が最早輪郭２７及び上縁部２６の上に載らないように、中間区画３４’〜３９’が形成されている、特に、深くされている。それによって、各可動接点４．２が、その最も深い位置に到達して、各真空開閉管４が閉じられることを保証している。しかし、操作レバー２８の各ローラ２９が輪郭２７及び上縁部２６の上に載るように、中間区画３４’〜３９’を形成する、特に、深くすることも可能である。
【００５３】
例えば、湾曲シリンダ２５は、固定位置に配置されて、極ロータ２０が回転可能な形で軸支されているが、その逆の形態も可能である。ローラ２９は、少なくとも輪郭区画３５〜３９において、上縁部２６の上に載るので、極ロータ２０の回転時に、輪郭２７又は少なくとも輪郭区画３５〜３９を転動し、それに対応して、操作レバー２８を用いて各真空開閉管４を開閉する。
【００５４】
この実施構成では、互いに対応する三つの輪郭区画３４，３６，３８は異なる長さを有し、例えば、第一の輪郭区画３４は第五の輪郭区画３８よりも長く、第五の輪郭区画は第三の輪郭区画３６よりも長い。別の互いに対応する三つの輪郭区画３５，３７，３９も異なる長さを有し、例えば、第二の輪郭区画３５は第六の輪郭区画３９よりも長く、第六の輪郭区画は第四の輪郭区画３７よりも長い。それによって、極ロータ２０の回転時に、その回転方向Ｄに関係無く、真空開閉管４が僅かな時間差で開閉されることを実現している。有利には、第一の輪郭区画３４は第五の輪郭区画３８よりも長く、第五の輪郭区画は、第二の輪郭区画３５と同じ長さであり、第六の輪郭区画３９よりも長く、第六の輪郭区画は第四の輪郭区画３７よりも長く、第四の輪郭区画は第三の輪郭区画３６と同じ長さである。しかし、全ての輪郭区画３５〜３９を同じ長さとすることも可能である。
【００５５】
特に、真空開閉管４を開く場合、そのために必要な回転トルクを出来る限り小さくすることができるように、それを順番に、即ち、時間をずらして行なうのが有利である。
【００５６】
この実施構成では、切換装置１は、軸受筐体２４毎に、図７に図示された一つの接続接点３２を有する。各接続接点３２は、固定位置に、有利には、架台３３に取り付けられている。それぞれ一つの接続接点３２とそれに対応付けられた軸受筐体２４の組合せは、それぞれ極ロータ２０の回転によって操作される、即ち、開閉される遮断スイッチ５を構成する。各真空開閉管４、それらの真空開閉管４に対応付けられた軸受筐体２４、それらの真空開閉管４に対応付けられた接続接点３２、駆動シャフト２３及び下方の支持板２１は互いに通電接続されているので、軸受筐体２４と接続接点３２の間の接続の選択的な確立又は分離、即ち、遮断スイッチ５の選択的な開閉と真空開閉管４の選択的な開閉とによって、例えば、図２ａ〜２ｈに基づき上述した方法に基づき、第一の接続端子１．１と第二の接続端子１．２の間の通電接続を確立又は分離することが選択的に可能である。
【００５７】
この軸受筐体２４は、その外側に、接続接点３２と軸受筐体２４の間の確実な接触を可能とする、付勢された形で軸支された接点１９を有する。
【００５８】
図８には、制御変圧器１０用の切換装置１の第二の実施構成の接続図が模式的に図示されている。この実施構成は、第一の実施構成と類似しており、そのため、以下では、特に、相違点を詳しく説明する。
【００５９】
この実施構成では、第一の巻線２が、主巻線４０の一部を構成する粗調整タップ巻線として構成され、第二の巻線７が、この粗調整タップ巻線２に対応付けられた制御巻線として構成され、プリセレクタ９が、粗調整タップ巻線２用の粗調整セレクタとして構成されている。この制御巻線７はタップ７．１を有する。この粗調整タップ巻線２の第二の巻線タップ２．３は、例えば、その巻線終端の間に有る。しかし、例えば、粗調整タップ巻線２の第一の巻線タップ２．２がその巻線終端の間に有り、第二の巻線タップ２．３がその第二の巻線終端に有るか、その巻線終端を構成するか、又はその両方であること、或いは例えば、両方の巻線タップ２．２，２．３がそれらの巻線終端の間に有ることも可能である。
【００６０】
この粗調整タップ巻線２は、例えば、プリセレクタ９を介して、制御巻線７と接続するか、或いは接続しないことが選択的に可能である、即ち、橋絡することが可能である。そのため、このプリセレクタ９は粗調整セレクタを構成する。
【符号の説明】
【００６１】
１      切換装置
１．１／１．２  切換装置１の第一／第二の接続端子
２      制御変圧器１０の第一の巻線、制御巻線、粗調整タップ巻線
２．１  第一の巻線２のタップ
２．２／２．３  第一の巻線２の第一／第二の巻線タップ
２．４  第一の巻線２の中間タップ
３      導線
４      真空開閉管
４．１／４．２  真空開閉管４の固定接点／可動接点
５      遮断スイッチ
６      抵抗
７      制御変圧器１０の第二の巻線、主巻線、制御巻線
７．１  第二の巻線７のタップ
８      制御変圧器１０の二次側
９      プリセレクタ
９．１／９．２／９．３／９．４  プリセレクタ９の第一／第二のプリセレクタ端子／基本端子／プリセレクタ接点
１０      制御変圧器
１１      負荷時タップ切換器
１２      負荷切換器
１３      微調整セレクタ
１４      変圧器筐体
１５      変圧器筐体１４の内部
１６      モータ駆動部
１７      変圧器筐体１４の外壁
１８      負荷時タップ切換器１１の蓋
１９      軸受筐体２４の接点
２０      極ロータ
２１      極ロータ２０の下方の支持板
２２      極ロータ２０の上方の支持板
２３      駆動シャフト
２４      軸受筐体
２５      湾曲シリンダ
２６      湾曲シリンダ２５の上縁部
２７      上縁部２６の輪郭
２８      操作レバー
２９      ローラ
３０      操作レバー２８の第一の終端
３１      操作レバー２８の第二の終端
３２      接続接点
３３      架台
３４      輪郭２７の第一の輪郭区画
３４’    輪郭２７の第一の中間区画
３５      輪郭２７の第二の輪郭区画
３５’    輪郭２７の第二の中間区画
３６      輪郭２７の第三の輪郭区画
３６’    輪郭２７の第三の中間区画
３７      輪郭２７の第四の輪郭区画
３７’    輪郭２７の第四の中間区画
３８      輪郭２７の第五の輪郭区画
３８’    輪郭２７の第五の中間区画
３９      輪郭２７の第六の輪郭区画
３９’    輪郭２７の第六の中間区画
【図１】
0006611792.tif 000002
【図２ａ】
0006611792.tif 000003
【図２ｂ】
0006611792.tif 000004
【図２ｃ】
0006611792.tif 000005
【図２ｄ】
0006611792.tif 000006
【図２ｅ】
0006611792.tif 000007
【図２ｆ】
0006611792.tif 000008
【図２ｇ】
0006611792.tif 000009
【図２ｈ】
0006611792.tif 000010
【図３】
0006611792.tif 000011
【図４】
0006611792.tif 000012
【図５】
0006611792.tif 000013
【図６】
0006611792.tif 000014
【図７】
0006611792.tif 000015
【図８】
0006611792.tif 000016